(57)【要約】【課題】シャッター幕を有するデジタルカメラにおいて、連続撮影のコマ間に撮影可能状態判定に時間がかかる場合でも、シャッター幕制御の準備に必要な処理時間分、コマ間の時間を短縮することが可能としつつ、ユーザー操作性の低下も回避する。【解決手段】撮影指示手段による撮影指示に応じて、前記シャッター駆動準備手段及び前記撮影手段を順次実行した後、撮影指示が継続されている場合には再度シャッター駆動準備手段を実行し、シャッター駆動準備手段を実行した後に連続撮影可能判定手段により撮影可能と判定されるまで撮影指示が継続されている場合には撮影手段による撮影動作を実行し、連続撮影可能判定手段により撮影可能と判定される前に撮影指示が停止された場合には、チャージ手段を実行することによりシャッター保持部材が保持状態になるように駆動した後に緊定手段を無効にするように制御する。【選択図】図３
2018005143.tif 000002
【特許請求の範囲】
【請求項１】
カムを回転させることにより、シャッター保持部材を駆動させてシャッター駆動部材の保持状態と非保持状態を切り替えると共に、シャッター羽根を付勢するシャッターバネのチャージ動作を行うチャージ手段と、
シャッター駆動部材を緊定する緊定手段と、
撮像部による露光開始前に、前記チャージ手段によるチャージ動作を行いシャッター保持部材駆動手段を非保持状態に駆動するとともに、緊定手段を有効にシャッター駆動準備手段と、
前記シャッター駆動準備手段による駆動準備状態から
撮像露光・読み出し制御の所定タイミングに合わせて緊定手段を無効にすることによりシャッターを閉じる方向に駆動するための撮影手段と
連続撮影可能か否かを判定する連続撮影可能判定手段と
を有し、
撮影指示手段による撮影指示に応じて、前記シャッター駆動準備手段及び前記撮影手段を順次実行した後、撮影指示が継続されている場合には再度シャッター駆動準備手段を実行し、
前記シャッター駆動準備手段を実行した後に前記連続撮影可能判定手段により撮影可能と判定されるまで撮影指示が継続されている場合には前記撮影手段による撮影動作を実行し、前記連続撮影可能判定手段により撮影可能と判定される前に撮影指示が停止された場合には、前記チャージ手段を再度実行することによりシャッター保持部材が保持状態になるように駆動した後に緊定手段を無効にするように制御することを特徴とする撮像装置。
【請求項２】
ピント調整手段を有し、
前記連続撮影可能判定手段は、ピント調整手段により合焦状態であるか否かを判定する判定手段であることを特徴とする請求項１に記載の撮像装置。
【請求項３】
撮像部により得られた撮像データを記録する複数の撮像データ一時記録領域と、
前記データ記録部に記録された撮像データを順次読み出して、画像処理を施した後に別の一時画像記録領域に記録、または外部記録媒体に記録する画像処理記録手段を有し、
前記連続撮影可能判定手段とは、
撮像データ一時記録領域に、画像処理記録手段による記録処理がなされていない撮像データが記録されていない領域が一つでも存在するか否かを判定する判定手段であることを特徴とする請求項１に記載の撮像装置。
【請求項４】
ストロボ発光部と、
前記発光部を発光させるために必要な電荷を蓄積するためのキャパシタ、及びその充電手段を有し、前記連続撮影可能判定手段とは、前記キャパシタの充電電圧が所定レベル以上か否かを判定する判定手段であることを特徴とする請求項１に記載の撮像装置。
【発明の詳細な説明】
【技術分野】
【０００１】
本発明は、撮像装置におけるメカシャッター制御に関する。
【背景技術】
【０００２】
近年、一眼レフタイプのデジタルカメラにおいて、ファインダ関連の機構を搭載しないミラーレスタイプのデジタルカメラの登場により、一眼レフタイプのデジタルカメラも小型化とともに、メカ機構がの簡素化され、ミラーレスタイプのデジタルカメラはメカニカルシャッターが後幕として構成され、後幕の走行に先行して、撮像素子への電荷蓄積開始操作を行う電子シャッターを駆動することにより撮影が行われているものも多い。
【０００３】
電子シャッターを用いて撮像動作を行う場合、例えばＣＭＯＳセンサを用いた撮像素子では、画素毎、或いは複数画素からなる領域毎（例えば各ライン毎）に、先ず画素の蓄積電荷量をゼロにするリセット走査を行う。その後、リセット走査を行った画素毎、或いは領域毎に、それぞれ所定の時間を経過してから信号を読み出す走査を行うことで、電子シャッターによる撮像動作を実現できる。以下、このような撮像動作を電子先幕走査と称する。
【０００４】
電子シャッターとメカニカルシャッターを併用して、撮像素子の露光を制御する場合、先ずメカニカルシャッターの走行方向に画素毎、或いは撮像素子の複数画素から成る領域毎（例えばライン毎）に画素のリセット（画素の蓄積電荷量をゼロにする走査）を行い、電荷蓄積を開始する。そして、所定時間経過後にメカニカルシャッターの後幕走行によって撮像素子への光を順次遮光した後、各画素に蓄積された電荷を順次読み出す読み出し走査を行う。従って、電子シャッターの電子先幕走査は、メカニカルシャッターの後幕の走行特性に合わせたものである。以下、このような電子シャッターの電子先幕走査とメカニカルシャッターの後幕走行の構成を電子先幕シャッターと称する。
【０００５】
ミラーレスによりメカ機構が簡素化されることにより、連写撮影速度を向上も比較的容易になりつつあり、連写性能を特徴とする製品も多く市場に出回るようになってきている。
【０００６】
特許文献１には、従来のミラーつきの構成においても、連写の速度向上を目的として、連写設定時にはシャッターのチャージとともに、次の走行が可能状態にまで一気に駆動させることで、次の撮影までの間隔を短縮するような技術が提案されており、同様の考え方はミラーレス構成の撮像装置にも適用可能である。
【先行技術文献】
【特許文献】
【０００７】
【特許文献１】特開２０１１−５３３７５号公報
【発明の概要】
【発明が解決しようとする課題】
【０００８】
しかし、先に挙げた先行技術では、静止画撮影後のシャッターチャージ時に次のシャッター走行準備を行うため、連写のコマ間にＡＦを行い被写体追従を行う場合には、次の撮影動作までの時間が不定になる場合がある。
【０００９】
このようなケースにおいて、従来は、ＡＦが動作中にユーザーが撮影動作をキャンセルした場合でも、ＡＦ動作後に一枚静止画を撮影してシャッターを走行させた後に再度チャージすることでシャッター保持状態に戻す動作を行っている。
【００１０】
しかし、このような制御では、ユーザーの撮影動作キャンセルに遅れて撮影動作がおこなわれてしまい、操作性が低いという課題があった。また、連写設定でも、コマ間でＡＦ動作を伴うような設定がなされている場合には、撮影後のチャージ時にはシャッター走行準備を行わないという解決策も考えられるが、その場合、連写のコマ速が遅くなってしまうという課題があった。
【課題を解決するための手段】
【００１１】
上記の目的を達成するために、本発明に係る撮像装置は、
カムを回転させることにより、シャッター保持部材を駆動させてシャッター駆動部材の保持状態とと非保持状態を切り替えると共に、シャッター羽根を付勢するシャッターバネのチャージ動作を行うチャージ手段と、
シャッター駆動部材を緊定する緊定手段と、
撮像部による露光開始前に、前記チャージ手段によるチャージ動作を行いシャッター保持部材駆動手段を非保持状態に駆動するとともに、緊定手段を有効にシャッター駆動準備手段と、
前記シャッター駆動準備手段による駆動準備状態から
撮像露光・読み出し制御の所定タイミングに合わせて緊定手段を無効にすることによりシャッターを閉じる方向に駆動するための撮影手段と
連続撮影可能か否かを判定する連続撮影可能判定手段と
を有し、
撮影指示手段による撮影指示に応じて、前記シャッター駆動準備手段及び前記撮影手段を順次実行した後、撮影指示が継続されている場合には再度シャッター駆動準備手段を実行し、
前記シャッター駆動準備手段を実行した後に前記連続撮影可能判定手段により撮影可能と判定されるまで撮影指示が継続されている場合には前記撮影手段による撮影動作を実行し、前記連続撮影可能判定手段により撮影可能と判定される前に撮影指示が停止された場合には、前記チャージ手段を再度実行することによりシャッター保持部材が保持状態になるように駆動した後に緊定手段を無効にするように制御することを特徴とする。
【発明の効果】
【００１２】
本発明に係る撮像装置によれば、シャッター幕を有するデジタルカメラにおいて、連続撮影のコマ間に撮影可能状態判定に時間がかかる場合でも、シャッター幕制御の準備に必要な処理時間分、コマ間の時間を短縮することが可能としつつ、ユーザー操作性の低下も回避することが可能となる。
【図面の簡単な説明】
【００１３】
【図１】本発明の実施の形態に係る撮像装置の制御システムの外観図である。
【図２】本発明の実施の形態に係る撮像装置の制御システムのブロック図である。
【図３】本発明の実施の形態に係る撮像装置のシャッターユニットの概略図である。
【図４】本発明の実施の形態に係る撮像装置の撮影動作の概略図である。
【図５】従来の実施形態に係る撮像装置の撮影動作の概略図である。
【図６】本発明の実施の形態に係る撮像装置の撮影動作の概略図である。
【発明を実施するための形態】
【００１４】
以下、図面を参照して本発明の好適な実施形態を説明する。
【００１５】
図１に、本発明の撮像装置の一例としてのデジタルカメラの外観図を示す。
【００１６】
表示部２８は画像や各種情報を表示する表示部である。シャッターボタン６１は撮影指示を行うための操作部である。モードダイアル６０は各種モードを切り替えるための操作部である。コネクタ１１２は接続ケーブル１１１とデジタルカメラ１００とのコネクタである。操作部７０はユーザーからの各種操作を受け付ける各種スイッチ、ボタン、タッチパネル等の操作部材より成る操作部である。コントローラーホイール７３は操作部７０に含まれる回転操作可能な操作部材である。
【００１７】
７２は電源スイッチであり、電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。３００はストロボ装置である。４００はレンズ装置である。
【００１８】
図２は本実施形態によるデジタルカメラ１００の構成例を示すブロック図である。
【００１９】
図２において、シャッター１０１は撮像素子への露光制御を行っている。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２０】
画像処理部２４は、Ａ／Ｄ変換器２３からのデータ、又は、メモリ制御部１５からのデータに対し所定の画素補間、縮小といったリサイズ処理や色変換処理、圧縮符号化処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２１】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２２】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示を行える。
【００２３】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２４】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１３、表示部２８等を制御することにより表示制御も行う。システムタイマー５３は各種制御に用いる時間や、内蔵された時計の時間を計測する計時部である。
【００２５】
モード切替スイッチ６０、第１シャッタースイッチ６２、第２シャッタースイッチ６４、操作部７０はシステム制御部５０に各種の動作指示を入力するための操作手段である。モード切替スイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、静止画撮影モードに含まれるこれらのモードのいずれかに直接切り替えられる。
【００２６】
あるいは、モード切り替えスイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６２は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号を読み出してメモリ３２に一時記録したのちに、画像処理部２４による画像処理及び圧縮・符号化処理を行った後に記録媒体２００に画像データを書き込むまでの一連の撮影処理の動作を開始する。
【００２８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンとを用いて直感的に各種設定を行うことができる。
【００２９】
コントローラホイール７３は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。このパルス信号によって、コントローラホイール７３が回転操作された角度や、何回転したかなどを判定することができる。なお、コントローラホイール７３は回転操作が検出できる操作部材であればどのようなものでもよい。
【００３０】
例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００３１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３２】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ/Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３３】
ストロボ装置３００は、デジタルカメラ１００に着脱可能に装着されるストロボである。ストロボ制御部３０１は、例えばＣＰＵであり、カメラ制御部５０からI/F３３を介して入力される指示によって、ストロボ３００の各ブロックの動作を制御する。具体的には、ストロボシステム制御部３０１は、発光量の制御や発光時間、発光照射角の制御等を行う。発光部３０４は、ストロボシステム制御部３０１が指示した電圧でストロボを発光し、必要な電圧を蓄積するためのキャパシタを有する。
【００３４】
レンズ装置４００は、着脱可能なレンズユニットであり、ズームレンズ、フォーカスレンズ、防振レンズ、絞り羽を含むレンズ群である。レンズ制御部４０１は、例えばＣＰＵであり、カメラ制御部５０からI/F３４を介して入力される指示によって、レンズの各ブロックを制御する。具体的には、レンズ制御部４０１は、ズームレンズの制御、フォーカスレンズの制御、防振レンズの制御、絞り羽の制御を行う。
【００３５】
図３は本実施形態によるシャッターユニットの正面図であり、図２ではシャッター１０１に相当するものである。なお、本実施形態によるシャッターユニットは、露出量を決定するフォーカルプレーンシャッターであり、露光時間は電子先幕と後幕シャッター羽により制御される。６０３はシャッターチャージを行うためのカムギアであり、シャッター駆動用モータ６０７により回転する。
【００３６】
６０１は設定された露光時間完了後に走行する後幕シャッター羽群であり、後幕シャッター駆動アーム６０２により連結され複数の羽が連動して作動する。６１０は後幕シャッター羽群６０１に係合して動作する後幕シャッター駆動レバーである。６０９は後幕シャッター羽群駆動バネであり、後幕シャッター駆動レバー６１０を付勢することにより後幕シャッター羽群６０１の開閉動作をさせる。
【００３７】
６０８は後幕シャッター羽の緊定部材であり、緊定状態にすることにより後幕シャッター羽群６０１を走行待機位置で保持させる。また緊定解除状態にすることにより所定のタイミングで後幕シャッター羽群６０１を走行させる。例えば、緊定手段としては通電によるマグネット通電方式がある。
【００３８】
６０４は後幕シャッターの係止をするための係止レバーであり、係止解除レバー６０５と勘合する緊定部材である。６０６は係止解除レバー６０５を駆動させるためのアクチュエーターであり、駆動することにより係止レバー６０５は係止を解除し、チャージ状態である後幕シャッター羽群６０１は開く方向へ作動する。
【００３９】
図３（A）は固定状態を示す図である。
【００４０】
固定状態では、後幕シャッター羽群６０１がシャッターユニットの待機位置に在る状態であり、後幕シャッター駆動レバー６１０はチャージされた状態でカムギア６０３と係合状態にあり、シャッターが保持されている。
【００４１】
図３（B）は解除状態を示す図である。
【００４２】
図３（A）の状態からシャッター駆動用モータ６０７を駆動することによりカムギア６０３が回転し、後幕シャッター駆動レバー６１０とカムギア６０３との係合が解除された状態であり、かつ緊定部材６０８によりシャッター駆動レバー６１０が保持されている状態である。つまり、緊定部材６０８による緊定状態を解除することによりシャッター走行可能な状態である。
【００４３】
また、この状態からシャッター駆動用モータ６０７を駆動することによりカムギア６０３を回転させ後幕シャッター駆動レバー６１０を再度チャージすることにより、カムギア６０３と系合状態でシャッターが保持される状態に制御するとともに、緊定部材６０８による緊定状態を解除することにより、図３（A）の状態に復帰することが可能な構成となっている。
【００４４】
図３（C）は走行完了状態を示す図である。
【００４５】
走行状態では、図３（B）の状態から、緊定部材６０８がシャッター駆動レバー６１０の緊定を解除して後幕シャッター群６０１がシャッターユニットの撮像部２２に光を通す窓を塞ぐ位置に走行する。また、係止解除レバー６０５は、係止レバー６０４を係止した状態である。
【００４６】
図３（D）はチャージ状態を示す図である。
【００４７】
チャージ状態では、シャッター駆動用モータ６０７を駆動することによりカムギア６０３を回転させ後幕シャッター駆動レバーをチャージする。係止解除レバー６０５は、係止レバー６０４を係止した状態であり、後幕シャッター羽群６０１を閉じた状態のままチャージすることが可能である。チャージ動作完了後に係止レバー６０４を解除することにより後幕シャッター羽群６０１が開く方向に作動し、図３（A）の状態に復帰する。  さらに、図３（D）の状態から、オーバーチャージすることによって後幕シャッター駆動レバー６１０をカムギア６０３との系合解除状態まで駆動させると共に、緊定部材６０８による緊定状態にした後に、係止レバー６０４を解除することにより後幕シャッター羽群６０１が開く方向に作動し、図３（B）の状態に復帰する。この制御方法により、シャッターが開いてから次の走行までの時間を短縮することが可能である。
【００４８】
図４は本発明の第１実施形態における連続撮影動作時のシステム制御部５０による撮像部２２及び画像処理部２４の制御タイミング及びシャッター１０１の制御タイミングを示すタイミング図である。
【００４９】
緊定用マグネット通電は、シャッター緊定部材６０８による緊定制御が行われている区間を示している。
【００５０】
システム制御部５０は、第２シャッタースイッチ６４の信号検出いわゆるレリーズスイッチの全押しを検出することで撮影開始指示がなされたと判定し（Ｓ１００）、以下、撮影動作を開始する。
【００５１】
システム制御部５０はシャッターの緊定部材６０８であるマグネット通電を開始する（Ｓ１０１）とともに、カムギア６０３をシャッター駆動レバー６１０との係合が解除される状態までシャッター駆動用モータ６０７に通電することにより回転させる（Ｓ１０２）。これにより、シャッター１０１は図３（B）の状態となる。
【００５２】
その後、システム制御部５０は、撮像部２２による露光制御及び読み出し制御（Ｓ１０３）を実行する。この時、撮像部２２の露光終了のタイミングに合わせてシャッター緊定部材６０８であるマグネット通電を停止し、シャッターを走行させるように制御する。ここでシャッター１０１は図３（C）の状態となる。
【００５３】
さらに、システム制御部５０は撮像部２２の読み出し制御と並行して、後幕シャッター駆動レバーをチャージし、カムギア６０３と係合され保持される状態まで回転させる（Ｓ１０４）。
【００５４】
ここで、撮影指示が継続されている場合は、次の撮影動作に備えて後幕シャッター駆動レバーをオーバーチャージし、カムギア６０３との係合が解除され、シャッター保持状態が解除される状態まで回転させる（Ｓ１０５）とともに、シャッター緊定部材６０８であるマグネット通電を開始する（Ｓ１０６）。
【００５５】
システム制御部５０は、撮像部２２の読み出し完了後に係止レバー６０４を解除することにより後幕シャッター羽群６０１を開く方向に作動させる（Ｓ１０７）。これにより、シャッター１０１は図３（B）の状態に遷移し、走行可能状態に復帰する。このように、撮像データ読み出し期間にシャッター保持状態解除処理を実行しておくことにより、連続撮影時の撮影間隔を短縮することが可能となる。
【００５６】
その後、システム制御部５０は次の撮影可能条件が成立する（Ｓ１０９）のを待ちあわせて、次の撮像部２２による露光制御及び読み出し制御を実行する（Ｓ１１０）。ここでは、連続撮影のコマ間でライブビュー表示を行い、ＡＦ動作を行う場合の例を記載する。システム制御部５０は、シャッターが開いた後、表示部２８にライブビュー表示を出力するための処理を行う（Ｓ１０８）。具体的には、適切な露出およびホワイトバランスとなるように画像処理部２４が画像処理を行いメモリ３２へ画像データを転送する。メモリ制御部１５は前記画像データをＤ／Ａ変換器１３を介して表示部２８へ転送しライブビュー表示を行う。
【００５７】
さらに、画像処理部２４では、撮像した画像データを用いて所定の演算処理が行われ、得られた演算結果に基づいてシステム制御部５０が測光制御、測距制御を行う。測距制御が完了すると、システム制御部５０は撮影時可能条件が成立したと判断し、次の撮像部２２による露光制御及び読み出し制御を実行する。
【００５８】
ここでは、ＡＦ動作が完了することを撮影可能条件成立として記載しているが、ＡＦ動作に限定するものではなく、記録媒体への画像データの書き込みが進むことにより、読み出しデータを記録するための内部バッファが確保できることや、ストロボ発光に必要なコンデンサへの充電処理が完了することなど、次の撮影動作を実行するための条件全てが該当することはいうまでもない。
【００５９】
図５はシャッター１０１が図３（B）のシャッター走行可能状態において、システム制御部５０はが第２シャッタースイッチ６４の信号検出いわゆるレリーズスイッチの全押し解除を検出することで撮影開始指示がなされたと判定した場合の、システム制御部５０による撮像部２２及び画像処理部２４の制御タイミング及びシャッター１０１の制御タイミングを示すタイミング図である。緊定用マグネット通電は、シャッター緊定部材６０８による緊定制御が行われている区間を示している。
【００６０】
図５の撮影停止指示が行われるまでの部分は図４と同様につき説明は省略する。従来は、システム制御部５０はシャッター走行可能状態で撮影停止指示がなされた場合（Ｓ２０９）でも、撮影可能条件が成立するのを待ちあわせて次の撮像部２２による露光制御及び読み出し制御（Ｓ２１１）を実行していた。このように、撮像データ読み出し期間にシャッター保持状態解除処理を実行しておくことにより、連続撮影時の撮影間隔は短縮可能であるが、次の撮影可能条件が成立する前に撮影停止指示が行われた場合に、１枚余計に撮影してしまい操作性が低いという課題があった。
【００６１】
図６は本発明の第１実施形態における連続撮影動作時のシステム制御部５０による撮像部２２及び画像処理部２４の制御タイミング及びシャッター１０１の制御タイミングを示すタイミング図である。緊定用マグネット通電は、シャッター緊定部材６０８による緊定制御が行われている区間を示している。
【００６２】
図６の撮影停止指示が行われるまでの部分は図４と同様につき説明は省略する。システム制御部５０はシャッター走行可能状態で撮影停止指示がなされた場合（Ｓ３０９）に、緊定部材６０８による緊定状態を保ったまま、後幕シャッター駆動レバー６１０を再度チャージする（Ｓ３１０）ことによりシャッター駆動レバー６１０がカムギア６０３と系合し保持される状態に制御した後に、緊定部材６０８による緊定状態を解除することにより、シャッター走行状態を解除して待機状態図３（A）に復帰するように制御する。
【００６３】
このように、シャッター走行可能状態遷移後、撮影可能条件が成立するまでに期間に連続撮影停止指示がなされた場合にも速やかに連続撮影動作を停止することが可能であり、連続撮影停止時の操作性を向上させることが可能となる。
【００６４】
なお、上述した実施の形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。
【００６５】
また、コンピュータが読み出したプログラムコードを実行することにより、前述した各実施の形態の機能が実現されるだけではない。そのプログラムコードの指示に基づき、コンピュータ上で稼動しているＯＳ（オペレーティングシステム）などが実際の処理の一部又は全部を行い、その処理によって前述した各実施例の機能が実現される場合も含まれている。
【００６６】
さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した各実施の形態の機能が実現される場合も含むものである。
【符号の説明】
【００６７】
１３  Ｄ／Ａ変換器、１５  メモリ制御部、１８  記録媒体Ｉ／Ｆ、２２  撮像部、
２３  Ａ／Ｄ変換器、２４  画像処理部、２８  表示部、３０  電源部、３２  メモリ、
３３  ストロボＩ／Ｆ、３４  レンズＩ／Ｆ、５０  システム制御部、
５２  システムタイマー、５３  システムメモリ、５６  不揮発性メモリ、
５７  バックアップメモリ、６０  モード切り替えスイッチ、６１  撮影ボタン、
７０  操作部、７２  電源スイッチ、７３  コントローラホイール、８０  電源制御部、
１００  デジタルビデオカメラ、１１１  接続ケーブル、１１２  コネクタ、
２００  記録媒体、２０１  記録媒体スロット、２０２  蓋、３００  ストロボ装置、
３０１  ストロボ用システム制御部、３０４  発光部、４００  レンズ装置、
４０１  レンズ用システム制御部
【図１】
2018005143.tif 000003
【図２】
2018005143.tif 000004
【図３】
2018005143.tif 000005
【図４】
2018005143.tif 000006
【図５】
2018005143.tif 000007
【図６】
2018005143.tif 000008